(57)【要約】【課題】レベル表示具とスムーズに係合させることができる調節補助具を提供する。【解決手段】調節補助具３０は、補助具本体３１と、補助具本体３１に設けられ、複数の表示部１０３間に挿入される係合部３２と、を備える。係合部３２の下方先端には、下方に向かうにしたがいその幅が次第に縮小するテーパ部３２２が形成されている。【選択図】図３
2020016058.tif 000002
【特許請求の範囲】
【請求項１】
ネジ部を有するレベル表示具本体と、前記レベル表示具本体の周方向に間隔をあけて設けられ、コンクリートの打設目標高さを示す複数の表示部と、を備えるレベル表示具を高さ調節する調節具用の調節補助具であって、
補助具本体と、
前記補助具本体に設けられ、前記複数の表示部間に挿入される係合部と、
を備え、
前記係合部の下方先端には、下方に向かうにしたがいその幅が次第に縮小するテーパ部が形成されている、
ことを特徴とする調節補助具。
【請求項２】
前記係合部は、前記補助具本体の下端よりも下方に直線状に延出する直線部を備え、
前記テーパ部は前記直線部の下部に一体的に接続されている、
請求項１に記載の調節補助具。
【請求項３】
前記係合部は、前記補助具本体の中心軸に対して対称に二つ形成されており、
前記テーパ部の内面には、下方に向かうにしたがい外方へ次第に傾斜する傾斜面が形成されている、
請求項１又は２に記載の調節補助具。
【請求項４】
ネジ部を有するレベル表示具本体と、前記レベル表示具本体の周方向に間隔をあけて設けられ、コンクリートの打設目標高さを示す複数の表示部と、を備えるレベル表示具を高さ調節する調節具であって、
請求項１から３のいずれか１項に記載の調節補助具を備える、
ことを特徴とする調節具。
【発明の詳細な説明】
【技術分野】
【０００１】
本発明は、コンクリートの打設目標高さを示す表示部を備えたレベル表示具の高さ調節を行う調節具、及び当該調節具用の調節補助具に関する。
【背景技術】
【０００２】
コンクリート基礎を施工する際には、コンクリートの打設前に、コンクリートの打設目標高さを示す目印をあらかじめ設置しておく必要がある。このような目印として、従来、図４に示すレベル表示具が使用されている。また、このようなレベル表示具は特許文献１にも開示されている。
【０００３】
図４を参照してレベル表示具について説明する。図４はレベル表示具１００の斜視図である。図４に示すレベル表示具１００は、レベル表示具本体１０１と、雄ネジ１０２と、二つの第一表示部１０３と、第二表示部１０４とを備える。レベル表示具本体１０１は、上下方向に延びる棒状である。雄ネジ１０２はレベル表示具本体１０１の表面に形成されている。二つの第一表示部１０３は、雄ネジ１０２よりも上方で、且つ、レベル表示具本体１０１の周方向に所定間隔あけて形成されている。第一表示部１０３は、コンクリートの打設目標高さを示すコンクリート用目印として機能する。第二表示部１０４はレベル表示具本体１０１の頂部であり、レべリング材の打設目標高さを示すレベリング材用目印として機能する。第一表示部１０３と第二表示部１０４との上下方向間の間隔は、打設予定のレベリング材の厚みに合わせて予め設定されている。レベル表示具１００は、鉄筋Ｔ（図４では横筋）に取り付けられた取付補助具Ｘに上下動可能に保持される。レベル表示具１００は、建物の大きさにもよるが、住宅用のコンクリート基礎を施工する場合には、数百本使用される。
【０００４】
図５を参照してレベル表示具１００を回転させて高さ調節するための従来の調節具２００及び調節補助具３００について説明する。図５（ａ）は従来の調節具２００及び調節補助具３００の正面図である。図５（ｂ）は従来の調節補助具３００とレベル表示具１００とが係合した状態の正面図である。調節具２００は、カバー２０１と、シャフト２０２と、ハンドル２０３と、調節補助具３００と、を備える。シャフト２０２はカバー２０１内に挿通されている。ハンドル２０３は、シャフト２０２の一端に固定されている。調節補助具３００は、シャフト２０２の他端に取り付けられている。カバー２０１には、レーザレベルからのレーザ光を受光するレベルセンサが取り付けられる。
【０００５】
調節補助具３００は、補助具本体３０１と、係合部３０２と、を備える。係合部３０２は補助具本体３０１に一体的に形成されており、補助具本体３０１から下方に延びている。係合部３０２は矩形状であり、上下方向全長にわたって同一の幅を有している。係合部３０２は、二つの第一表示部１０３の周方向間に挿入される。
【０００６】
調節具２００では、ハンドル２０３の回転に伴い、シャフト２０２及び調節補助具３００も回転する。そして、調節補助具３００の回転に伴い、係合部３０２が第一表示部１０３に当接し、レベル表示具１００を回転させることができる。レベル表示具１００を高さ調節する際には、レーザレベル及びレベルセンサを使用して、目印が打設目標高さに到達したか否かを判断する。
【先行技術文献】
【特許文献】
【０００７】
【特許文献１】特開２０１５−０５２２１９号公報
【発明の概要】
【発明が解決しようとする課題】
【０００８】
従来の調節補助具では、係合部を上方から第一表示部間に挿入する際に、係合部が第一表示部に引っ掛かり、スムーズに挿入できないことがあった。
【０００９】
本発明は、レベル表示具とスムーズに係合させることができる調節補助具を提供することを目的とする。本発明は、当該調節補助具を備えた調節具を提供することを目的とする。
【課題を解決するための手段】
【００１０】
本発明は下記に掲げる態様の発明を提供する。
（項目１）
ネジ部を有するレベル表示具本体と、前記レベル表示具本体の周方向に間隔をあけて設けられ、コンクリートの打設目標高さを示す複数の表示部と、を備えるレベル表示具を高さ調節する調節具用の調節補助具であって、
補助具本体と、
前記補助具本体に設けられ、前記複数の表示部間に挿入される係合部と、
を備え、
前記係合部の下方先端には、下方に向かうにしたがいその幅が次第に縮小するテーパ部が形成されている、
ことを特徴とする調節補助具。
（項目２）
前記係合部は、前記補助具本体の下端よりも下方に直線状に延出する直線部を備え、
前記テーパ部は前記直線部の下部に一体的に接続されている、
項目１に記載の調節補助具。
（項目３）
前記係合部は、前記補助具本体の中心軸に対して対称に二つ形成されており、
前記テーパ部の内面には、下方に向かうにしたがい外方へ次第に傾斜する傾斜面が形成されている、
項目１又は２に記載の調節補助具。
（項目４）
ネジ部を有するレベル表示具本体と、前記レベル表示具本体の周方向に間隔をあけて設けられ、コンクリートの打設目標高さを示す複数の表示部と、を備えるレベル表示具を高さ調節する調節具であって、
項目１から３のいずれか１項に記載の調節補助具を備える、
ことを特徴とする調節具。
【発明の効果】
【００１１】
本発明の調節補助具では係合部の先端にテーパ部を備えているため、係合部をレベル表示具の表示部間にスムーズに挿入することができる。テーパ部が表示部に接触したとしても、テーパ部のテーパ面によって係合部が表示部間にスムーズに案内される。
【図面の簡単な説明】
【００１２】
【図１】調節具及び調節補助具の正面図である。
【図２】（ａ）調節補助具（保護キャップ有り）の正面図、（ｂ）調節補助具の右側面図、（ｃ）（ａ）の縦断面図、（ｄ）調節補助具（保護キャップ無し）の正面図である。
【図３】（ａ）及び（ｂ）はそれぞれ調節具をレベル表示具に係合させた状態の正面図及び右側面図、（ｃ）は調節後のレベル表示具の斜視図である。
【図４】レベル表示具の斜視図である。
【図５】（ａ）従来の調節具及び調節補助具の正面図、（ｂ）従来の調節補助具とレベル表示具とが係合した状態の正面図である。
【発明を実施するための形態】
【００１３】
本発明について図面を参照しながら説明する。以下で説明する実施形態は、本発明の好ましい一具体例を示すものである。本発明は、以下の実施形態に限定されず、その主旨を逸脱しない範囲で適宜変更可能である。
【００１４】
＜調節具及び調節補助具の構成＞
図１及び図２を参照して調節具２０及び調節補助具３０について説明する。図１は調節補助具３０が取り付けられた調節具２０の正面図である。以下では、図１の上下を調節具２０及び調節補助具３０の上下として説明する。
【００１５】
調節具２０は、カバー２１と、シャフト２２と、ハンドル２３と、調節補助具３０と、を備える。カバー２１は断面視で角筒状の金属材料から成る。カバー２１にはレーザレベルからのレーザ光を受光するレベルセンサが取り付け可能である。シャフト２２はカバー２１内に挿通されている。ハンドル２３はシャフト２２の上端に、シャフト２２と同軸に取り付けられている。調節補助具３０はシャフト２２の下端に、シャフト２２と同軸に取り付けられている。ハンドル２３の回転に伴いシャフト２２が回転する共に、シャフト２２に取り付けられた調節補助具３０も回転する。
【００１６】
図２（ａ）は後述する保護キャップ３４５が取り付けられた状態の調節補助具３０の正面図、図２（ｂ）は調節補助具３０の右側面図、図２（ｃ）は図２（ａ）の縦断面図、図２（ｄ）は後述する保護キャップ３４５が取り外された状態の調節補助具３０の正面図である。図３（ａ）及び（ｂ）はそれぞれ調節具２０をレベル表示具１００に係合させた状態の正面図及び右側面図、図３（ｃ）は調節後のレベル表示具１００の斜視図である。
【００１７】
調節補助具３０は、補助具本体３１と、係合部３２と、キャップ３３と、外観変化付与部３４と、を備える。補助具本体３１はその内部が中空となった筒状である。外観変化付与部３４は補助具本体３１内に設けられている。補助具本体３１、係合部３２及びキャップ３３は例えば樹脂製である。
【００１８】
図２（ａ）及び（ｄ）に示すように、補助具本体３１には、調節具２０及び調節補助具３０の使用時に、外観変化付与部３４の下端を外部から視認できるようにするための貫通開口部３５が形成されている。貫通開口部３５は、補助具本体３１を貫通し、補助具本体３１の中空内部と連通している。本実施形態において、貫通開口部３５は補助具本体３１の中心軸に対して対称に二つ形成されている。貫通開口部３５は、補助具本体３１の周方向に、係合部３２とずらして形成されている。貫通開口部３５は、上下方向に延びるスリット状であり、補助具本体３１の下端から、外観変化付与部３４の下端よりもわずかに上方の位置まで延びている。
【００１９】
係合部３２は、補助具本体３１と一体的に形成されている。係合部３２は、レベル表示具１００の二つの第一表示部１０３間に挿入される。本実施形態では、係合部３２は、補助具本体３１の中心軸に対して対称に二つ形成されている。
【００２０】
図２（ｂ）に示すように、係合部３２は、第一部分３２１と、第二部分３２２とから構成されている。第一部分３２１は、補助具本体３１の下端から下方に直線状に延びている。第一部分３２１の幅Ｗは、二つの第一表示部１０３の周方向間の間隔よりもわずかに小さくなっている。
【００２１】
第二部分３２２は、第一部分３２１の下端に連続し且つ第一部分３２１よりも幅狭である。第二部分３２２の幅方向両端には、下方に向かうにしたがい、係合部３２の中心に向けて次第に傾斜する第一傾斜面（テーパ面）３２３がそれぞれ形成されている。これにより、第二部分３２２は、その幅が下方に向かうにしたがい次第に縮小するテーパ状となっている。具体的には、第二部分３２２は、側面視で逆三角形状である。図２（ａ）に示すように、第二部分３２２の内面には、下方に向かうにしたがい外方（補助具本体３１の中心軸から離れる方向）へ傾斜する第二傾斜面３２４が形成されている。これにより、二つの第二部分３２２間の間隔は、下方に向かうにしたがい次第に大きくなっている。
【００２２】
図２（ｃ）に示すように、キャップ３３は、挿入部３３１と、フランジ部３３２と、延出部３３３と、を備える。挿入部３３１は、補助具本体３１の中空内部に挿入される。フランジ部３３２は、補助具本体３１の上端に載置される。延出部３３３は、フランジ部３３２から上方に延出している。挿入部３３１及び延出部３３３には、シャフト２２を挿入するための凹部３３４が形成されている。補助具本体３１及び挿入部３３１には、凹部３３４と連通し、且つネジ３３５が取り付けられる貫通穴が形成されている。貫通穴の内周面には雌ネジが形成されており、ネジ３３５はその雌ネジと螺合している。これにより、キャップ３３は補助具本体３１に着脱可能に固定される。また、ネジ３３５はその先端が凹部３３４内に挿入されたシャフト２２に当接してシャフト２２を凹部３３４の内壁に押し付けることで、シャフト２２をキャップ３３に固定している。こうして、調節補助具３０は、シャフト２２に着脱可能に取り付けられる。
【００２３】
図２（ｃ）を参照して、外観変化付与部３４について説明する。外観変化付与部３４はレベル表示具１００に当接して、レベル表示具１００に外部から視認できる目印を付与する。本実施形態において、外観変化付与部３４は、レベル表示具１００を着色する着色手段３４Ａである。着色手段３４Ａとしては、例えばシャチハタ（登録商標）を利用することができる。
【００２４】
着色手段３４Ａは、印字部３４１と、吸蔵体３４２と、枠体３４３と、押さえ部材３４４と、保護キャップ３４５とを備える。印字部３４１はレベル表示具１００に接触する印面３４１ａを有している。印字部３４１の中央には貫通穴３４１ｂが形成されている。印字部３４１は例えば多孔質ゴムから成る。吸蔵体３４２は例えばスポンジから成り、着色成分を含有した着色物質を吸収して保持する。枠体３４３は補助具本体３１の中空内部に保持されている。印字部３４１及び吸蔵体３４２は、吸蔵体３４２が印字部３４１の印面３４１ａとは反対側に接触した状態で枠体３４３内に収容されている。印字部３４１には吸蔵体３４２から着色物質が供給される。印字部３４１はレベル表示具１００に文字、図形又は記号などの有色の目印を付与する。着色物質はレベル表示具１００を着色可能であれば特に限定されず、例えば水性又は油性インキなどを使用することができる。着色物質の色はレベル表示具１００と同色でないことが好ましい。
【００２５】
押さえ部材３４４は吸蔵体３４２の上方に配置され、補助具本体３１内に保持されている。押さえ部材３４４のうち吸蔵体３４２の直上に配置される部分には、貫通穴３４４ａが形成されている。キャップ３３を補助具本体３１から外すと貫通穴３４４ａから吸蔵体３４２の一部が露出する。この貫通穴３４４ａを介して、吸蔵体３４２に着色物質を補充することが可能となっている。
【００２６】
保護キャップ３４５は有底の筒状である。保護キャップ３４５は、印字部３４１の印面３４１ａ側に被せられており、印面３４１ａを乾燥や汚れなどから保護する。保護キャップ３４５は、補助具本体３１の中空内部に部分的に収容されており、補助具本体３１に着脱可能に取り付けられている。保護キャップ３４５の上端は、貫通開口部３５の上端よりも上方まで延びている。図２（ａ）に示すように、補助具本体３１に保護キャップ３４５が取り付けられた状態において、貫通開口部３５は保護キャップ３４５により塞がれており、印字部３４１は貫通開口部３５から露出していない。
【００２７】
補助具本体３１の下端（図２（ｃ）において破線で示す）と印字部３４１の印面３４１ａとの上下方向間の間隔Ｌは、第一表示部１０３とレベル表示具本体１０１の頂部（第二表示部１０４）との上下方向間の間隔以下に設定されている。そのため、図３（ａ）及び（ｂ）に示すように、係合部３２を二つの第一表示部１０３間に挿入させた際、印面３４１ａはレベル表示具本体１０１の頂部に接触するようになっている。これにより、図３（ｃ）に示すように、レベル表示具本体１０１の頂部には着色物質により外部から視認可能な有色の印Ｍが付与される。
【００２８】
＜使用方法及び作用効果＞
以下では、図３（ａ）及び（ｂ）を参照して、調節補助具３０及び調節具２０の使用方法について説明する。また、それらの作用効果についても説明する。
【００２９】
保護キャップ３４５を外し、調節補助具３０の係合部３２をレベル表示具１００の上方から二つの第一表示部１０３間に挿入する。このとき、レベル表示具本体１０１のうち、第一表示部１０３よりも上方の部位は、補助具本体３１の中空内部に収容される。係合部３２の第一部分３２１は、二つの第一表示部１０３の間に位置している。着色手段３４Ａの印面３４１ａは、レベル表示具本体１０１の頂部に当接する。印面３４１ａとレベル表示具本体１０１の頂部との接触状態は、貫通開口部３５を通して外部から視認可能となっている。
【００３０】
調節具２０のハンドル２３を回転させることにより、調節補助具３０を回転させる。調節補助具３０の回転に伴い、レベル表示具１００も回転する。レベル表示具１００の第二表示部１０４の高さ位置がレべリング材の打設目標高さと一致するよう、レベル表示具１００の高さ調節を行う。なお、第一表示部１０３と第二表示部１０４との上下方向間の間隔は、打設予定のレベリング材の厚みに合わせて予め設定されているため、第二表示部１０４の位置をレベリング材の打設目標高さに合わせれば、第一表示部１０３の位置は自動的にコンクリートの打設目標高さに合うようになっている。
【００３１】
係合部３２の先端を構成する第二部分３２２がテーパ状になっていることにより、係合部３２を二つの第一表示部１０３間に挿入しやすくなる。第二部分３２２は第一傾斜面３２３を有しているため、第一傾斜面３２３が第一表示部１０３に接触したとしても、係合部３２は第一傾斜面３２３によって二つの第一表示部１０３間にスムーズに案内される。このように、係合部３２がテーパ状の第二部分３２２を有していることにより、第一表示部１０３に引っ掛かり難くなる。
【００３２】
係合部３２の第二部分３２２には第二傾斜面３２４が形成されているため、二つの第二部分３２２間の間隔は下方に向かうにしたがい大きくなっている。これにより、第二部分３２２がレベル表示具１００の頂部に引っ掛かり難くなる。また、第二傾斜面３２４がレベル表示具１００の頂部に接触したとしても、係合部３２は第二傾斜面３２４によってスムーズに二つの第一表示部１０３間に案内される。
【００３３】
二つの第一表示部１０３間に位置する第一部分３２１の幅Ｗは、二つの第一表示部１０３間の間隔よりもわずかに小さくなっているだけである。すなわち、第一表示部１０３と第一部分３２１との隙間は非常に小さい。これにより、ガタつくことなく調節補助具３０を回転させることが可能になる。
【００３４】
補助具本体３１に貫通開口部３５が設けられていることにより、貫通開口部３５を通して、外観変化付与部３４の下端（本実施形態では、印面３４１ａ）とレベル表示具本体１０１の頂部とが接触しているか否か確認することができる。また、補助具本体３１内、特に、印面３４１ａにゴミが付着している場合、貫通開口部３５を通してそのゴミを除去することができる。
【００３５】
調節補助具３０が外観変化付与部３４を備えていることにより、高さ調節済みのレベル表示具１００に対して目印を付与することができる。これにより、作業者は高さ調節済みのレベル表示具１００とそうでないレベル表示具１００とを見分けることができる。着色手段３４Ａによる有色の印Ｍは目立つため特に好ましい。
【００３６】
＜調節具及び調節補助具の変形例＞
以下では、調節具２０及び調節補助具３０の変形例について説明する。
【００３７】
（１）着色手段３４Ａとして、例えばマーキングペンを利用することもできる。
【００３８】
（２）外観変化付与部３４は、レベル表示具１００に傷、切欠き又は穴などを形成する刃や針などであってもよい。
【００３９】
（３）貫通開口部３５は、外観変化付与部３４の下端とレベル表示具本体１０１の頂部とが接触しているかどうか確認できる程度の大きさであればよく、必ずしも補助具本体３１の下端まで延びている必要はない。貫通開口部３５は、例えば係合部３２を通って上下方向に延びるよう形成されていてもよい。
【符号の説明】
【００４０】
２０        調節具
３０        調節補助具
３１        補助具本体
３２        係合部
３２１      第一部分（直線部）
３２２      第二部分（テーパ部）
３２４      第二傾斜面（傾斜面）
１００      レベル表示具
１０１      レベル表示具本体
１０２      雄ネジ（ネジ部）
１０３      第一表示部（表示部）
【図１】
2020016058.tif 000003
【図２】
2020016058.tif 000004
【図３】
2020016058.tif 000005
【図４】
2020016058.tif 000006
【図５】
2020016058.tif 000007